(57)【要約】【課題】蓋体の開操作を容易に行うことができるうえ、鏡を使用状態に容易に移行させることができ、使い易いコンパクト容器を提供すること。【解決手段】内容物が収容され、上方に開口した収容容器２と、収容容器の開口を覆うと共に収容容器に対して上下方向に開閉可能に連結された蓋体３とを備え、蓋体は、外面に鏡２１が配設された鏡体２０と、鏡体の周囲を囲むと共に収容容器に対して第１回転軸Ｍ１回りに回転可能に連結された枠体３０とを備え、鏡体は、鏡が収容容器の反対側を向いた外向き姿勢Ｐ１と、鏡が収容容器側を向いた内向き姿勢と、の間で反転可能に枠体に対して第２回転軸Ｍ２回りに回転可能に連結され、且つ外向き姿勢及び内向き姿勢のときに枠体の内側に収まっているコンパクト容器１を提供する。【選択図】図６
2016010615.tif 000002
【特許請求の範囲】
【請求項１】
内容物が収容され、上方に開口した収容容器と、
前記収容容器の開口を覆うと共に前記収容容器に対して上下方向に開閉可能に連結された蓋体と、を備え、
前記蓋体は、
外面に鏡が配設された鏡体と、
前記鏡体の周囲を囲むと共に前記収容容器に対して第１回転軸回りに回転可能に連結された枠体と、を備え、
前記鏡体は、前記鏡が前記収容容器の反対側を向いた外向き姿勢と、前記鏡が前記収容容器側を向いた内向き姿勢と、の間で反転可能に前記枠体に対して第２回転軸回りに回転可能に連結され、且つ前記外向き姿勢及び前記内向き姿勢のときに前記枠体の内側に収まっていることを特徴とするコンパクト容器。
【請求項２】
請求項１に記載のコンパクト容器において、
前記鏡体は、前記鏡体の平面視で前記第２回転軸に対して線対称に形成されていることを特徴とするコンパクト容器。
【請求項３】
請求項１又は２記載のコンパクト容器において、
前記鏡体は、前記枠体に形成された第１係合部に対して離脱可能に係合する第２係合部を備えていることを特徴とするコンパクト容器。
【請求項４】
請求項３に記載のコンパクト容器において、
前記鏡体及び前記枠体のうちの一方には、弾性変形可能とされた弾性片が形成され、
前記第１係合部又は前記第２係合部は、前記弾性片に形成されていることを特徴とするコンパクト容器。
【発明の詳細な説明】
【技術分野】
【０００１】
本発明は、外面に鏡を有するコンパクト容器に関する。
【背景技術】
【０００２】
コンパクト容器として、例えば化粧料等の内容物が収容される収容容器と、鏡が取り付けられ、収容容器に対して回動可能に連結された蓋体と、を備えたものが知られている。この種のコンパクト容器は、通常、蓋体の内面側に鏡が取り付けられているが、蓋体を開けないかぎり鏡を使用することができないので、化粧チェック等を手軽に行うことができないうえ、例えば化粧料の飛散やパフやブラシ等の塗布具が落下する等の虞があった。
【０００３】
一方、例えば下記特許文献１に示されるような、蓋体の外側に鏡が取り付けられているコンパクト容器も知られている。
このコンパクト容器は、化粧料が収容される収容容器と、外面に鏡が取り付けられた蓋体と、収容容器の後端部側に取り付けられ、収容容器と蓋体とを回動可能に連結するヒンジ部と、を備えている。蓋体は、閉じた状態で収容容器上を、収容容器の後端部側へスライド移動可能とされている。収容容器の後端部側には、蓋体の前端部が入り込むことを許容する空隙部が形成されている。
【０００４】
このコンパクト容器では、蓋体の外面に鏡が取り付けられているので、蓋体を開けることなく鏡を使用することが可能である。また、化粧を行う場合には、蓋体を収容容器の後端部側へスライド移動させた後、蓋体の後端部を持ち上げるようにヒンジ部回りに回動させることで、蓋体の前端部を空隙部内に入り込ませることができる。これにより、鏡を前方に向けた状態で蓋体を立ち上がらせることができ、鏡を使用しながら化粧料を使用することができる。
【先行技術文献】
【特許文献】
【０００５】
【特許文献１】特許第５４２０４４６号公報
【発明の概要】
【発明が解決しようとする課題】
【０００６】
しかしながら、上記従来のコンパクト容器では、化粧料を使用する際、蓋体を収容容器上でスライド移動させる必要があるが、収容容器や内容物に対する引っ掛かりや、収容容器との間における摩擦抵抗等によってスライド移動をスムーズに行えない可能性があり、蓋体の操作性に改善の余地があった。
【０００７】
本発明は、このような事情に鑑みてなされたものであって、その目的は、蓋体の開操作を容易に行うことができるうえ、鏡を使用状態に容易に移行させることができ、使い易いコンパクト容器を提供することである。
【課題を解決するための手段】
【０００８】
上記の目的を達成するために、この発明は以下の手段を提供している。
（１）本発明に係るコンパクト容器は、内容物が収容され、上方に開口した収容容器と、前記収容容器の開口を覆うと共に前記収容容器に対して上下方向に開閉可能に連結された蓋体と、を備え、前記蓋体は、外面に鏡が配設された鏡体と、前記鏡体の周囲を囲むと共に前記収容容器に対して第１回転軸回りに回転可能に連結された枠体と、を備え、前記鏡体は、前記鏡が前記収容容器の反対側を向いた外向き姿勢と、前記鏡が前記収容容器側を向いた内向き姿勢と、の間で反転可能に前記枠体に対して第２回転軸回りに回転可能に連結され、且つ前記外向き姿勢及び前記内向き姿勢のときに前記枠体の内側に収まっていることを特徴とする。
【０００９】
本発明に係るコンパクト容器では、鏡体の外面に鏡が配設されているので、蓋体を開けることなく鏡を使用でき、例えば化粧チェックを手軽に行える。
一方、化粧料等の内容物を使用する場合、枠体を第１回転軸回りに回転させることで、蓋体の全体を収容容器に対して上方に離間するように開操作することができる。そして、蓋体の開操作後、鏡体を第２回転軸回りに回転させることで、外向き姿勢から内向き姿勢に反転させることができる。これにより、鏡体を裏返すことができ、鏡を収容容器の開口側に向けることができる。その結果、鏡を使用しながら内容物を使用することができ、例えば化粧を行える。
【００１０】
このように、蓋体をスライド移動させる従来のものとは異なり、一連の回転操作を行うだけで、蓋体の開操作と鏡の使用状態への移行操作とを連続的に行えるので、操作性に優れ、使い易い。特に、蓋体を収容容器上でスライド移動させる必要がないので、例えば蓋体が内容物に引っ掛かり、それによってパフ等の塗布具（内容物）が落下したり、化粧料（内容物）が空気中に飛散して鏡に付着したりする等の現象が生じ難い。また、鏡体が外向き姿勢及び内向き姿勢のいずれの姿勢であっても、枠体の内側に鏡体を収めることができるので、鏡体が枠体から飛び出して邪魔になることを防止できるうえ、鏡の向きを使用者側に適切に向けることができ、使い易い。
【００１１】
（２）前記鏡体は、前記鏡体の平面視で前記第２回転軸に対して線対称に形成されても良い。
【００１２】
この場合には、鏡体に回転対称性を持たせることができ、外向き姿勢のときと、内向き姿勢のときとで鏡体の外形を重ねることができる。従って、外向き姿勢と内向き姿勢とで、枠体に対する鏡体の位置が変化することがないので、例えば枠体と鏡体との間の隙間が鏡体の姿勢に応じて変化することを防止できる。よって、鏡以外の部分の外観上の統一性を図り易く、デザイン性を向上することができる。
【００１３】
（３）前記鏡体は、前記枠体に形成された第１係合部に対して離脱可能に係合する第２係合部を備えても良い。
【００１４】
この場合には、枠体に対して鏡体が不意に第２回転軸回りに回転してしまうことを防止することができるので、鏡体を安定して外向き姿勢又は内向き姿勢に維持することができる。
【００１５】
（４）前記鏡体及び前記枠体のうちの一方には、弾性変形可能とされた弾性片が形成され、前記第１係合部又は前記第２係合部は、前記弾性片に形成されても良い。
【００１６】
この場合には、鏡体を第２回転軸回りに回転させる際に、弾性片を弾性変形させることができるので、第１係合部と第２係合部との係合をスムーズに解除することができる。また、鏡体を外向き姿勢又は内向き姿勢にした際に、弾性片の復元変形を利用して第１係合部と第２係合部とをより確実に係合させることができるので、鏡体の不意な回転を効果的に防止することができるうえ、使用者にいわゆるクリック感を与えることができ、操作性を向上できる。
【発明の効果】
【００１７】
本発明によれば、蓋体の開操作を容易に行うことができるうえ、鏡を使用状態に容易に移行させることができるので、使い易い。
【図面の簡単な説明】
【００１８】
【図１】本発明に係るコンパクト容器の実施形態を示す平面図である。
【図２】図１に示すＡ−Ａに沿うコンパクト容器の断面図である。
【図３】図１に示すＢ−Ｂに沿うコンパクト容器の断面図である。
【図４】図１に示す蓋体の分解斜視図である。
【図５】図４に示す軸孔を矢印Ｃ方向から見た側面図である。
【図６】図２に示す状態から、蓋体の全体を第１回転軸回りに回転させることで開操作した状態を示す断面図である。
【図７】図６に示す状態から、枠体に対して鏡体を第２回転軸回りに回転させることで、鏡を前方に向けた状態を示す断面図である。
【発明を実施するための形態】
【００１９】
以下、本発明に係るコンパクト容器の実施形態について、図面を参照して説明する。
図１〜図３に示すように、本実施形態のコンパクト容器１は、化粧料等の内容物を収容する携帯用の蓋付き容器であり、平面視正方形状に形成された薄型容器とされている。
このコンパクト容器１は、内容物が収容される収容容器２と、収容容器２に対して開閉可能に連結された蓋体３と、を備えている。
【００２０】
なお、本実施形態では、コンパクト容器１の厚さ方向において、蓋体３側を上側とし、収容容器２側を下側とする。また、上下方向に直交する方向において、後述する係合部４０側を前方、その反対側を後方とする。さらに、上下方向及び前後方向に直交する方向を左右方向とする。
【００２１】
収容容器２は、上方に向けて開口する薄型の有底筒状に形成されていると共に、左右方向に沿った長さと前後方向に沿った長さとが同等とされた平面視正方形状に形成されている。具体的に収容容器２は、底壁部１０と、底壁部１０の外周縁部から上方に向けて延びた周壁部１１と、を備えている。
【００２２】
周壁部１１は、前方に位置する前壁部１１ａと、後方に位置する後壁部１１ｂと、左右方向の両側に位置すると共に、前壁部１１ａと後壁部１１ｂとを接続する一対の側壁部１１ｃと、を有している。
前壁部１１ａの左右方向の中間部には、下方に向けて窪む凹状の切欠部１５が形成されている。また、後壁部１１ｂの左右方向の中間部には、後壁部１１ｂを上下に貫く連結凹部１６が形成されている。
【００２３】
底壁部１０と周壁部１１とで画成される収容容器２の内部は、図示しない内容物が収容される収容凹部（収容空間）Ｒとして機能する。内容物としては、例えばパフ等の塗布具や、ファンデーション等の化粧料が収容された金属製の中皿等が挙げられる。但し、この場合に限定されるものではなく、コンパクト容器１の用途等に応じて内容物を適宜選択して構わない。
【００２４】
なお、図示の例では、収容容器２の内部を１つの収容凹部Ｒとしているが、例えば底壁部１０上に１つ又は複数の仕切り壁を設け、収容容器２の内部を複数の収容凹部に仕切る構成としても構わない。この場合、収容容器２の内部を、前後方向に仕切っても構わないし、左右方向に仕切っても構わない。このように、複数の収容凹部を形成した場合には、各収容凹部内に異なる内容物を別個に収容することが可能となる。
また、図示の例では、底壁部１０の全体を平坦に形成しているが、例えば上方に向けて窪んだ上げ底部を底壁部１０の一部に形成しても構わない。
【００２５】
蓋体３は、外面に鏡２１が配設された鏡体２０と、鏡体２０の周囲を囲むと共に、収容容器２に対して左右方向に延びる第１回転軸Ｍ１回りに回転可能に連結された枠体３０と、を備え、収容容器２に対して上下方向に開閉可能に連結されている。この蓋体３は、閉状態において底壁部１０に対して上下方向で対向しており、これにより収容容器２の開口を上方から覆っている。
【００２６】
鏡体２０は、平面視正方形状に形成された鏡台２２と、鏡台２２の外面に取り付けられた上記鏡２１と、を備えている。
鏡台２２の外面の中央部分には、下方に凹んだ段差部２５が形成されている。図示の例では、段差部２５は、鏡台２２のほぼ全体に亘って平面視正方形状に凹んでいる。上記鏡２１は、平面視正方形状の板状に形成され、段差部２５内に収納された状態で鏡台２２に対して取り付けられている。
【００２７】
なお、鏡２１の取付方法としては、例えば接着剤や両面テープ等による接着や、その他の方法による固着等が挙げられ、特に限定されるものではない。
また、図示の例では、鏡２１の厚みは、段差部２５の深さよりも薄く形成されており、鏡２１の上面は鏡台２２の外面よりも下位に位置している。これにより、例えばコンパクト容器１を落下させてしまったとしても、鏡２１が割れ難い。
さらに、鏡２１の上面が枠体３０の外面よりも下位に位置していても良い。この場合には、鏡２１の上面が鏡台２２の外面と面一であったとしても、鏡２１の上面が鏡台２２の外面よりも下位に位置している場合と同様に、例えばコンパクト容器１が落下しても鏡２１が割れ難い。
【００２８】
但し、鏡２１は板状に形成されている場合に限定されるものではない。例えば、鏡台２２の外面にシート状或いはフィルム状の鏡を固着する方法や、鏡台２２の外面に金属反射膜を蒸着する方法等により鏡を配設しても構わない。いずれにしても、鏡台２２の外面に鏡２１が配設されていれば良い。
なお、シート状、フィルム状の鏡や蒸着によって鏡を形成する場合には、上記段差部２５は設けなくても良い。
【００２９】
また、鏡台２２のうち前方に位置する前端部２２ａと後方に位置する後端部２２ｂとには、それぞれ前方及び後方に向けて突出する円柱状の軸部２６Ａ、２６Ｂが形成されている。これら軸部２６Ａ、２６Ｂは、前端部２２ａにおける左右方向の中間部、及び後端部２２ｂにおける左右方向の中間部にそれぞれ位置しており、鏡台２２を挟んで前後方向に沿って並ぶように共通の軸線上に配置されている。この共通の軸線が前後方向に沿って延びる第２回転軸Ｍ２とされている。
【００３０】
上述した軸部２６Ａ、２６Ｂは、枠体３０に形成された後述する軸孔３２Ａ、３２Ｂによって、第２回転軸Ｍ２回りに回転可能に保持されている。これにより、鏡体２０は、枠体３０に対して第２回転軸Ｍ２回りに回転可能に連結されている。
なお、軸部２６Ａ、２６Ｂは、前端部２２ａにおける左右方向の中間部、及び後端部２２ｂにおける左右方向の中間部にそれぞれ位置しているので、鏡体２０は平面視で第２回転軸Ｍ２に対して線対称に形成されている。
【００３１】
枠体３０は、鏡体２０の全体を前後方向及び左右方向から囲む平面視正方形の枠状に形成され、前方に位置する前枠３０ａと、後方に位置する後枠３０ｂと、左右方向の両側に位置すると共に前枠３０ａと後枠３０ｂとを接続する一対の側枠３０ｃと、を有している。これにより、鏡体２０は枠体３０の内側に収まった状態とされている。
図示の例では、枠体３０の厚みと鏡体２０の厚みとは同等とされ、鏡体２０は枠体３０に対する上方及び下方への飛び出しも抑制されている。
【００３２】
枠体３０における後枠３０ｂには、下方に向けて突設されると共に、収容容器２側の連結凹部１６内に収容されたヒンジブロック３１が形成されている。
ヒンジブロック３１は、左右方向に沿って延びると共に、下端部が下方に向けて半円状に突出している。なお、ヒンジブロック３１は、後面が後枠３０ｂの後面と面一とされた状態で連結凹部１６内に収容されている。
【００３３】
ヒンジブロック３１と連結凹部１６とは、左右方向に沿って延びた第１回転軸部３４を介して連結されている。第１回転軸部３４は、連結凹部１６における左右方向の内側端部と、ヒンジブロック３１における左右方向の外側端部とをそれぞれ連結している。なお、第１回転軸部３４の中心軸線が上記第１回転軸Ｍ１とされている。
これにより、蓋体３の全体は、収容容器２に対してヒンジブロック３１を介して第１回転軸Ｍ１回りに回転可能に連結されている。そのため、蓋体３の全体を収容容器２に対して上方に離間するように移動させることが可能とされている（図６参照）。
【００３４】
ところで、枠体３０における前枠３０ａ及び後枠３０ｂには、鏡体２０に形成された軸部２６Ａ、２６Ｂを第２回転軸Ｍ２回りに回転可能に保持する軸孔３２Ａ、３２Ｂがそれぞれ形成されている。
前枠３０ａに形成された軸孔３２Ａは、下方及び後方に向けて開口し、且つ軸部２６Ａと同等の長さとなるように前後方向に延びている。但し、図示の例では軸孔３２Ａは前方に対しては閉口している。同様に、後枠３０ｂに形成された軸孔３２Ｂは、下方及び前方に向けて開口し、且つ軸部２６Ｂと同等の長さとなるように前後方向に延びている。但し、図示の例では軸孔３２Ｂは前方に対しては閉口している。
【００３５】
さらに、図２、図４及び図５に示すように、これら軸孔３２Ａ、３２Ｂの内面のうち、左右方向に向かい合う内側面の下端部には、軸孔３２Ａ、３２Ｂ内に向けて（左右方向の内側に向けて）突出し、且つ前後方向に延びる凸条部３３がそれぞれ形成されている。
【００３６】
このように軸孔３２Ａ、３２Ｂが形成されているので、軸部２６Ａ、２６Ｂを下方から軸孔３２Ａ、３２Ｂ内にそれぞれ嵌め入れることが可能とされている。従って、枠体３０と鏡体２０とを容易に組み合わせることが可能とされている。また、軸孔３２Ａ、３２Ｂ内に嵌め入れられた軸部２６Ａ、２６Ｂは、図５に示すように、凸条部３３によってアンダーカット嵌合される。これにより、軸部２６Ａ、２６Ｂが軸孔３２Ａ、３２Ｂ内から不意に離脱してしまうことを防止することができ、枠体３０と鏡体２０との組み合わせ状態を確実に維持することが可能とされている。
【００３７】
上述のように、軸部２６Ａ、２６Ｂが軸孔３２Ａ、３２Ｂ内に安定に保持されているので、鏡体２０は第２回転軸Ｍ２回りに回転することで、鏡２１が収容容器２とは反対側を向いた外向き姿勢Ｐ１（図１参照）と、鏡２１が収容容器２側を向いた内向き姿勢Ｐ２（図７参照）と、の間でスムーズに反転することが可能とされている。
なお、鏡体２０は、外向き姿勢Ｐ１及び内向き姿勢Ｐ２のいずれの場合であっても、枠体３０の内側に収まっている。
【００３８】
図３及び図４に示すように、鏡体２０は、外向き姿勢Ｐ１及び内向き姿勢Ｐ２のときに、枠体３０に形成された係合凸部（第１係合部）３５に対して離脱自在に係合する係合凹部（第２係合部）２８を備えている。
係合凸部３５は、枠体３０における一対の側枠３０ｃの内面から鏡体２０に向かって（左右方向の内側に向かって）突出するようにそれぞれ形成されている。図示の例では係合凸部３５は、側枠３０ｃの内面に、側枠３０ｃの前後方向の全長に亘って連続して突出するように形成されている。
なお、係合凸部３５は、枠体３０と一体形成しても構わないし、枠体３０とは別体に形成した後に枠体３０に対して取り付けても構わない。係合凸部３５を枠体３０とは別体に形成する場合には、例えばエラストマ等の軟材質で形成することも可能である。
【００３９】
係合凹部２８は、鏡台２２のうち左右方向に向いた側端部２２ｃに、左右方向の内側に向かって凹むようにそれぞれ形成されている。図示の例では係合凹部２８は、鏡台２２の側端部２２ｃに鏡台２２の前後方向の全長に亘って連続的に凹むように形成されている。
【００４０】
なお、枠体３０における一対の側枠３０ｃには、下方に開口し且つ前後方向に沿って延びるスリット３６が形成されている。このスリット３６は、前方及び後方に対しては閉口している。従って、側枠３０ｃのうち、スリット３６よりも左右方向の内側に位置する部分は、左右方向に弾性変形可能な弾性片３７として機能する。そして、係合凸部３５はこの弾性片３７に形成されている。
【００４１】
さらに、本実施形態のコンパクト容器１には、図１及び図２に示すように、蓋体３の収容容器２に対する閉状態を維持する係合部４０が設けられている。
係合部４０は、収容容器２に設けられた第１フック４１と、蓋体３に設けられ、第１フック４１と係合可能な第２フック４２と、第１フック４１及び第２フック４２の係合を解除する操作部材４３と、を有している。
【００４２】
第１フック４１は、収容容器２の前壁部１１ａに形成された切欠部１５内に配設されたガイド壁部４５を有している。ガイド壁部４５は、その前面が収容容器２の前面よりも後方に配置されると共に、上方に向かうに従い後方に向けて傾斜する傾斜面４５ａとされている。ガイド壁部４５の上端部には、第１爪部４５ｂが前方に向けて突設されている。ガイド壁部４５の下端部には、前後方向に沿って延在するガイド穴部４５ｃが形成されている。
【００４３】
第２フック４２は、図２及び図４に示すように、枠体３０の前枠３０ａから下方に向けて延びると共に、前壁部１１ａよりも後方に配置された縦壁部４６を有している。縦壁部４６は、蓋体３の閉状態において、平面視で第１フック４１と重なる位置に配置されている。
なお、縦壁部４６における左右方向の中央部には、下方に開口し且つ軸孔３２Ａに連通する縦溝４６ａが形成されており、これにより縦壁部４６は二股状に形成されている。
また、縦壁部４６の下端部には、蓋体３の閉状態において、収容容器２の切欠部１５内に挿通され、第１フック４１の第１爪部４５ｂに係合可能な第２爪部４６ｂが後方に向けて突設されている。
【００４４】
図１及び図２に示すように、操作部材４３は、切欠部１５の内側において収容容器２に支持されている。具体的に、操作部材４３は、前後方向の位置が枠体３０の前枠３０ａと同等の位置に配置された押圧壁部４３ａと、押圧壁部４３ａから後方に向けて突設され、上記ガイド壁部４５の傾斜面４５ａ上に位置する突起部４３ｂと、押圧壁部４３ａの下端部に形成され、第１フック４１のガイド穴部４５ｃ内に挿入されたベース部４３ｃと、を有している。
【００４５】
なお、操作部材４３に第１爪部４５ｂを形成し、且つ突起部４３ｂ及びガイド壁部４５の傾斜面４５ａに代えて、ガイド壁部４５と操作部材４３との間に例えば筒状の弾性体を介在させる構成にしても構わない。
【００４６】
（コンパクト容器の使用）
次に、上述したように構成されたコンパクト容器１を使用する場合について説明する。
はじめに、このコンパクト容器１は、図１に示すように鏡体２０の外面に鏡２１が配設されているので、蓋体３を開けることなく鏡２１を使用することができ、例えば化粧チェックを手軽に行える。
【００４７】
次いで、化粧料等の内容物を使用する場合には、まず係合部４０の操作部材４３を操作して蓋体３の閉状態を解除する。具体的には、押圧壁部４３ａを後方に向けて押圧し、操作部材４３の全体を後方にスライド移動させる。すると、操作部材４３の突起部４３ｂが、ガイド壁部４５の傾斜面４５ａに沿って後方に移動するので、第２フック４２の第２爪部４６ｂを下方から押し上げて、第１フック４１における第１爪部４５ｂから離脱させる。これにより、第１爪部４５ｂと第２爪部４６ｂとの係合を解除することができ、蓋体３が開操作可能な状態となる。
【００４８】
これにより、蓋体３の全体を第１回転軸Ｍ１回りに回転させることができ、図６に示すように、収容容器２に対して上方に離間するように蓋体３を開操作することができる。このとき、係合凸部３５と係合凹部２８とが係合しているので、鏡体２０は第２回転軸Ｍ２回りに回転することなく、枠体３０と一体となって第１回転軸Ｍ１回りに回転する。従って、蓋体３の開操作を安定して行うことができる。
なお、図６では、鏡体２０が第１回転軸Ｍ１回りに９０度回転し、垂直に立っている状態を図示しているが、鏡体２０の回転角度は適宜調整して構わない。
【００４９】
次いで、蓋体３を開操作した後、図７に示すように、鏡体２０を第２回転軸Ｍ２回りに回転させることで、鏡体２０を外向き姿勢Ｐ１から内向き姿勢Ｐ２に反転させることができる。これにより、鏡体２０を裏返すことができ、鏡２１を収容容器２の開口側である前方に向けることができる。その結果、鏡２１を使用しながら内容物を使用することができ、例えば化粧を行える。
【００５０】
このように本実施形態のコンパクト容器１では、蓋体３をスライド移動させる従来のものとは異なり、一連の回転操作を行うだけで、蓋体３の開操作と鏡２１の使用状態への移行操作とを連続的に行えるので、操作性に優れ、使い易い。
特に、蓋体３を収容容器２上でスライド移動させる必要がないので、例えば蓋体３が内容物に引っ掛かり、それによってパフ等の塗布具（内容物）が落下したり、化粧料（内容物）が空気中に飛散して鏡２１に付着したりする等の現象が生じ難い。また、鏡体２０が外向き姿勢Ｐ１及び内向き姿勢Ｐ２のいずれの姿勢であっても、枠体３０の内側に鏡体２０を収めることができるので、鏡体２０が枠体３０から飛び出して邪魔になることを防止できるうえ、鏡２１の向きを使用者側に適切に向けることができ、使い易い。
【００５１】
また、鏡体２０を外向き姿勢Ｐ１及び内向き姿勢Ｐ２のいずれの姿勢にした場合であっても、係合凸部３５と係合凹部２８とが係合し合うので、枠体３０に対して鏡体２０が不意に第２回転軸Ｍ２回りに回転してしまうことを防止することができる。従って、鏡体２０を安定して外向き姿勢Ｐ１及び内向き姿勢Ｐ２に維持することができる。
【００５２】
さらに、係合凸部３５は弾性片３７として機能する部分に形成されているので、鏡体２０を第２回転軸Ｍ２回りに回転させる際、弾性片３７を弾性変形させることができ、係合凸部３５と係合凹部２８との係合をスムーズに解除することができる。また、鏡体２０を外向き姿勢Ｐ１又は内向き姿勢Ｐ２にした際に、弾性片３７の復元変形を利用して係合凸部３５と係合凹部２８とをより確実に係合させることができるので、鏡体２０の不意な回転を効果的に抑制することができる。それに加え、使用者にいわゆるクリック感を与えることができるので、操作性を向上することができる。
【００５３】
さらに、鏡体２０が平面視で第２回転軸Ｍ２に対して線対称に形成されているので、鏡体２０に回転対称性を持させることができ、外向き姿勢Ｐ１のときと内向き姿勢Ｐ２のときとで鏡体２０の外形を重ねることができる。従って、外向き姿勢Ｐ１と内向き姿勢Ｐ２とで枠体３０に対する鏡体２０の位置が変化することがないので、例えば枠体３０と鏡体２０との間の隙間が鏡体２０の姿勢に応じて変化することを防止できる。そのため、鏡２１以外の部分の外観上の統一性を図り易く、デザイン性を向上することができる。
【００５４】
なお、本発明の技術範囲は、上記実施形態に限定されるものではなく、本発明の趣旨を逸脱しない範囲において、種々の変更を加えることが可能である。
【００５５】
例えば、上記実施形態では、鏡２１の形状を平面視正方形状としたが、この場合に限定されるものではなく、例えば円形状、楕円形状や多角形状であっても構わない。
同様に、鏡台２２の形状についても平面視正方形状に限定されるものではなく、例えば円形状、楕円形状や多角形状であっても構わない。この場合には、鏡台２２の形状に対応するように枠体３０の形状を決定すれば良い。
【００５６】
また、上記実施形態では、鏡体２０を平面視で第２回転軸Ｍ２に対して線対称に形成したが線対称に形成されていなくても良い。この場合であっても同様の作用効果を奏功することができる。但し、鏡体２０を平面視で第２回転軸Ｍ２に対して線対称に形成することで、鏡体２０に回転対称性を持たせることができるので、より好ましい。
さらに、上記実施形態では、第２回転軸Ｍ２を前後方向に延びるように形成したが、この場合に限定されるものではなく、例えば左右方向に延びるように形成しても構わないし、鏡台２２の四隅のうち対角部分を結ぶ対角線に沿って斜めに延びるように形成しても構わない。
【００５７】
また、鏡台２２の外面にインモールド成型により鏡２１を形成しても良い。この場合には、凹面鏡や平面鏡等、様々なタイプの鏡を容易、且つ鏡台２２の成形と同時に成形することができる。また、蓋体３の薄型化を図り易いので、コンパクト容器１の薄型化及び軽量化を図ることができる。
【００５８】
さらに、枠体３０側に係合凸部３５を形成し、鏡体２０側に係合凹部２８を形成したが、これとは逆に、枠体３０側に係合凹部２８を形成し、鏡体２０側に係合凸部３５を形成しても構わない。なお、第１係合部及び第２係合部の一例として、係合凸部３５と係合凹部２８との組み合わせを例に挙げたが、例えば係合凸部３５同士を係合させても良い。
【符号の説明】
【００５９】
Ｍ１…第１回転軸
Ｍ２…第２回転軸
Ｐ１…外向き姿勢
Ｐ２…内向き姿勢
１…コンパクト容器
２…収容容器
３…蓋体
２０…鏡体
２１…鏡
２８…係合凹部（第２係合部）
３０…枠体
３５…係合凸部（第１係合部）
３７…弾性片
【図１】
2016010615.tif 000003
【図２】
2016010615.tif 000004
【図３】
2016010615.tif 000005
【図４】
2016010615.tif 000006
【図５】
2016010615.tif 000007
【図６】
2016010615.tif 000008
【図７】
2016010615.tif 000009